(57)【要約】【課題】  光源が早期に劣化するのを抑制し、その性能の早期低下を防止することができる照明装置及びこれに用いる照明装置用反射板を提供する。【解決手段】  本発明のバックライト１（照明装置）は、複数の光源３と、複数の光源３の前方に配置されるとともに発光面２ａを有する導光板２と、複数の光源３の背後に配置されて導光板２に向けて光源３の光を反射する反射面Ｈを備えた反射板７とを有している。反射面Ｈには、複数の光源３の内、隣接する一方の光源３の光が他方の光源３に直接照射されないように複数の光源３を個々に隔てる反射壁１０が立設されている。【選択図】      図１
2006294507.tif 000002
【特許請求の範囲】
【請求項１】
複数の光源と、
前記複数の光源の前方に配置されて発光面を構成する発光面構成部材と、
前記複数の光源の背後に配置されて前記発光面構成部材に向けて前記複数の光源の光を反射する反射面を備えた反射板と、を有する照明装置において、
前記反射面には、前記複数の光源の内、隣接する一方の光源の光が他方の光源に直接照射されないように前記複数の光源を個々に隔てる反射壁が立設されていることを特徴とする照明装置。
【請求項２】
前記反射壁の側面が、前記反射面に対して垂直であるとともに拡散反射性を有している請求項１記載の照明装置。
【請求項３】
前記反射壁の側面が、前記発光面構成部材に向くように傾倒しているとともに正反射性を有している請求項１記載の照明装置。
【請求項４】
前記反射面から前記反射壁の先端部までの高さ寸法が、前記反射面から前記複数の光源までの高さ寸法以上である請求項１〜３のいずれか一項に記載の照明装置。
【請求項５】
前記発光面構成部材は、一面が前記発光面とされるとともに前記発光面にほぼ直交する側面が前記複数の光源からの光の入光面とされた導光板である請求項１〜４のいずれか一項に記載の照明装置。
【請求項６】
前記発光面から出射される光の輝度が部分的に低下しない程度に前記複数の光源が近接配置されている請求項１〜５のいずれか一項に記載の照明装置。
【請求項７】
前記反射面を正面視した時、前記反射面の面積に対して、前記複数の光源が前記反射面を隠蔽する面積の割合が５０％以上である請求項６記載の照明装置。
【請求項８】
前記複数の光源は、互いに平行に配置された線状光源であり、前記反射壁は、前記複数の光源の長手方向に平行な平板状であるとともに、その先端部の厚み寸法が５００μｍ以下である請求項１〜７のいずれか一項に記載の照明装置。
【請求項９】
前記反射壁の長手方向両端は、弾性体からなる保持具で保持されている請求項８記載の照明装置。
【請求項１０】
複数の光源の背後に配置されて、発光面を構成すべく前記複数の光源の前方に配置される発光面構成部材に向けて前記複数の光源の光を反射する反射面を備えた照明装置用反射板において、
前記反射面には、前記複数の光源の内、隣接する一方の光源の光が他方の光源に直接照射されないように前記複数の光源を個々に隔てる反射壁が立設されていることを特徴とする照明装置用反射板。
【発明の詳細な説明】
【技術分野】
【０００１】
本発明は、液晶表示装置のバックライト等に用いられる照明装置及びこれに用いる照明装置用反射板に関する。
【背景技術】
【０００２】
液晶表示装置等のバックライトに用いられる照明装置は、発光面に対して背後に光源を配置した直下型と、発光面の側部に光源を配置したサイドライト型と、に大別され、それぞれ適用される装置の用途に応じて使い分けられている。このような照明装置に用いられる光源の背後には、従来から、発光面を構成する発光面構成部材に向けて線状光源の光を反射するための反射面を備えた反射板が配置されている。
このような反射板には、その反射面に断面山形の突出部が、光源に沿って平行に形成されたものがある。この突起部は、隣接する光源同士の間に配置されて、線状光源から背後に出射される光を発光面構成部材に向けて反射するようにされており、照明装置の輝度を高めることができる（例えば、特許文献１，２，３参照）。
【０００３】
【特許文献１】特許第３２６２６５０号公報（図１〜４）
【特許文献２】実公平４−４９６４７号公報（図１、図２）
【特許文献３】実開平３−１２２８２号公報（図１）
【発明の開示】
【発明が解決しようとする課題】
【０００４】
ところで、上述したサイドライト型と呼ばれる照明装置では、発光面を構成する導光板等の板状部材の側面に線状の光源が複数本配置されるが、この場合、限られた空間に線状光源を複数本並べて配置するため、隣接する光源同士の間隔は非常に狭められ、互いに隣接する一方の光源から出射される光線が他方の光源に強く照射される。このため、光源の表面に施された蛍光体やガラスの劣化が促進されて、光源が早期に著しく劣化し、この結果、照明装置の輝度の低下や発光色の変化が早期に生じる等、照明装置としての性能が早期に低下する恐れがあった。
上記従来例の反射板においては、隣接する光源同士の間に光源に沿って形成された突出部を有しているため、隣接する一方の光源の光を他方の光源に対して遮蔽する効果が得られることが考えられる。しかし、この突出部は、本来、発光面部材への集光を目的としているため、隣接する一方の光源の光が他方の光源に対して照射されることが避けられず、上述のような照明装置の性能の早期低下を防止することはできない。
【０００５】
また、上述した直下型の照明装置においては、発光面を構成する拡散板の背後に複数の線状光源を配設するため、隣接する光源同士の間隔を十分確保することができ、光源の劣化は顕著に生じない。しかし、この種の照明装置においては、さらなる高輝度が要求されており、それに伴う光源の増設によって、隣接する線状光源同士の間隔を十分確保できなくなることが考えられる。この場合には、上述のように光源に早期劣化が生じ、照明装置の性能が早期に低下することが考えられる。
【０００６】
本発明はこのような事情に鑑みなされたものであり、光源が早期に著しく劣化するのを抑制し、その性能の早期低下を防止することができる照明装置及びこれに用いる照明装置用反射板の提供を目的とする。
【課題を解決するための手段】
【０００７】
本発明は、複数の光源と、前記複数の光源の前方に配置されて発光面を構成する発光面構成部材と、前記複数の光源の背後に配置されて前記発光面構成部材に向けて前記複数の光源の光を反射する反射面を備えた反射板と、を有する照明装置において、前記反射面には、前記複数の光源の内、隣接する一方の光源の光が他方の光源に直接照射されないように前記複数の光源を個々に隔てる反射壁が立設されていることを特徴としている。
【０００８】
上記のように構成された照明装置によれば、前記反射壁が形成されているので、互いに隣接する一方の光源から出射される光が他方の光源に直接照射されるのを防止することができる。従って、隣接する光源の光によって、光源が早期に著しく劣化するのを抑制することができる。
【０００９】
また、上記照明装置において、前記反射壁の側面が前記反射面に対して垂直である時には、拡散反射性を有していることが好ましく、この場合、光源から出射された光が反射壁の側面に照射された時にも、この側面による反射光は拡散反射される。この結果、側面による反射光が、光源に直接的に照射されるのを防止できる。
【００１０】
また、上記照明装置において、前記反射壁の側面が前記発光面構成部材に向くように傾倒している場合には、正反射性を有していることが好ましい。
この場合、前記反射壁の側面が、前記発光面構成部材に向くように傾倒させることで、側面から正反射される反射光が、光源に直接的に照射されるのを抑制することができる。また、この正反射される反射光を、効果的に発光面構成部材に向けて出射することができる。
【００１１】
また、上記照明装置において、前記反射面から前記反射壁の先端部までの高さ寸法が、前記反射面から前記複数の光源までの高さ寸法以上であることが好ましく、この場合、隣接する一方の光源から他方の光源に向けて出射される光をより確実に遮蔽することができる。
【００１２】
また、前記発光面構成部材に、一面が前記発光面とされるとともに前記発光面にほぼ直交する側面が前記複数の光源からの光の入光面とされた導光板を用いることで、上記照明装置の構成を、いわゆるサイドライト方式とした場合、効果的に光源の早期劣化を抑制することができる。
その理由は、サイドライト方式の構造を採ると、光源同士間の間隔が比較的狭められた状態で配置されるので、互いに隣接する一方の光源から出射される光が他方の光源に向けて非常に強く照射される一方、その強い光を前記反射壁によって遮蔽できるからである。
【００１３】
また、上記照明装置において、前記発光面から出射される光の輝度が部分的に低下しない程度に前記複数の光源が近接配置されている場合、効果的に光源の早期劣化を抑制することができる。
その理由は、複数の光源が互いに近接配置されると、上述したように、光源に向けて非常に強く照射される光を前記反射壁によって遮蔽できるからである。
また、前記反射面を正面視した時、前記反射面の面積に対して、前記複数の光源が前記反射面を隠蔽する面積の割合が５０％以上となるように、複数の光源が近接して配置されている場合において、より効果的に光源の早期劣化を抑制することができる。
【００１４】
また、上記照明装置において、前記複数の光源は、互いに平行に配置された線状光源であり、前記反射壁は、前記複数の光源の長手方向に平行な平板状であるとともに、その先端部の厚み寸法が５００μｍ以下であることが好ましい。
この場合、反射壁を上記のような平板状とすることで、当該反射壁を容易に形成でき、過大なコストの増加を招くことなく、隣接する一方の光源から他方の光源に向けて出射される光を確実に遮蔽することができる。
また、この反射壁の先端部の厚み寸法は、５００μｍより大きくなると、光源から出射される光に当該反射壁の影が生じ、発光面構成部材から出射される光が不均一となるため、上記のように、この厚み寸法は５００μｍ以下であることが好ましい。
【００１５】
また、上記照明装置において、前記反射壁の長手方向両端は、弾性体からなる保持具で保持されていることが好ましい。この場合、上述のように比較的薄い平板状に形成された当該反射壁が倒れないように確実に保持することができる。
【００１６】
また、本発明は、複数の光源の背後に配置されて、発光面を構成すべく前記複数の光源の前方に配置される発光面構成部材に向けて前記複数の光源の光を反射する反射面を備えた照明装置用反射板において、前記反射面には、前記複数の光源の内、隣接する一方の光源の光が他方の光源に直接照射されないように前記複数の光源を個々に隔てる反射壁が立設されていることを特徴としている。
この場合、前記反射壁が形成されているので、上述したように、隣接する光源の光によって、光源が早期に著しく劣化するのを抑制することができる。
【発明の効果】
【００１７】
以上のように、本発明に係る照明装置及びこれに用いる照明装置用反射板によれば、光源が早期に著しく劣化するのを抑制できるので、その性能の早期低下を防止することができる。
【発明を実施するための最良の形態】
【００１８】
次に、本発明の好ましい実施形態について添付図面を参照しながら説明する。尚、以下の説明では、本発明に係る照明装置用反射板、及びこの照明装置用反射板を用いた照明装置を例えば液晶表示装置の背面側に配置されるバックライトとして適用した場合を例示して説明する。
図１は、本発明の第一の実施形態に係るバックライトの構造を模式的に示した断面図である。このバックライト１は、３つの光源３を有する光源部Ｋと、これら光源３の前方に配置されるとともに発光面２ａを有する発光面構成部材としての導光板２と、を備えており、図のように導光板２の側面２ｂを入光面とするサイドライト型のバックライトを構成している。
【００１９】
導光板２は、例えばアクリル樹脂等の透明樹脂を射出成形して断面楔型に形成されており、光源部Ｋの光が出射される開口Ｋ１に、側面２ｂが面するように配置されている。
この導光板２は、その側面２ｂから入射される光を、発光面２ａと、この発光面２ａに対向する裏面２ｃとの間で繰り返し反射させてその内部に伝搬させ、発光面２ａにおける反射の際に、臨界角以下の光成分を発光面２ａより出射することで発光面２ａを発光させるものであり、この発光面２ａの発光によって、図示しない液晶表示装置の照明を行う。
この導光板２の裏面２ｃには反射シート４が配置され、導光板２の発光面２ａには、レンズシート等の光学シート５が配置されている。導光板２にこれら反射シート４及び光学シート５を配置することで、発光面２ａから出射される光を高輝度かつ均一にすることができる。
【００２０】
図２は、導光板２を外した状態の光源部Ｋを開口Ｋ１から正面視したときの正面図である。光源部Ｋは、３本の光源３（ハッチング部分）と、これら光源３を内部に収容している照明装置用反射板７（以下、反射板７とも言う）と、を有しており、開口Ｋ１から導光板２の側面２ｂへ光を出射するためのものである。図１も参照して、光源３は、管状の冷陰極管ランプ等の線状光源であり、導光板２の側面２ｂの長手方向（図１において、紙面に垂直な方向）に沿って平行に配置されている。また、これら光源３は、それぞれ平行かつ等間隔に配置されており、図示しない保持部材等によって反射板７に固定保持されている。また、光源３には、図示しないインバータなどが接続されており、点灯・消灯が行えるよう構成されている。
【００２１】
反射板７は、例えばアルミ合金製の板材を用いて、断面凹形として光源３の長手方向に沿って延びるように形成されている。また、この反射板７の長手方向両端部には、ゴム等の弾性体からなる端部保持部材８が取り付けられており、この端部保持部材８と反射板７とによって、開口Ｋ１が形成されている。
反射板７の底面７ａには、ポリエステル樹脂やポリカーボネート樹脂等からなるとともに表面に拡散反射性を有する反射シート９が接着剤等により貼り付けられており、光源３からの光を導光板２の側面２ｂに反射できるようにされている。
すなわち、反射板７の底面７ａに位置する反射シート９の底面部９ａの表面９ａ１は、導光板２から見て光源３の背後に配置されることで、導光板２の側面２ｂに向けて光源３の光を反射するための反射面Ｈを構成している。
尚、反射板７の内壁面７ｂについても、光源３からの光を反射可能な程度の金属光沢面が得られるように、その表面が研磨されており、光源３の光が減衰しないようにされている。
また、この反射板７は、上記のように光源３の光を反射する反射面Ｈを備えるとともに、光源部Ｋの強度を確保し、光源３等の機器を外部から保護するランプホルダとしての機能を果たしている。
【００２２】
また、３本の光源３は、発光面２ａから出射される光の輝度が部分的に低下して輝度ムラが生じない程度に近接配置されている。具体的には、図２のように光源部Ｋを正面視、すなわち反射面Ｈを正面視した時、反射面Ｈの幅寸法Ｗ３に対する、光源３の直径寸法φを３倍した時の値（光源３の３本分の値）の割合は５０％以上に設定されている。つまり、反射面Ｈの面積に対して、３本の光源３が反射面Ｈを隠蔽する面積の割合が５０％以上となるように、３本の光源３は近接配置されている。
【００２３】
反射板７に貼り付けられた反射シート９には、導光板２の側面２ｂに対して光源３を露出させつつ隣接する光源３同士を個々に隔てる反射壁１０が２ヶ所形成されている。この反射壁１０は、反射シート９の一部を折り畳むことによって、光源３の長手方向に平行かつ光源３の全長のほぼ全域に渡って延ばされた平板状に形成され、反射面Ｈから立設されている。すなわち、反射壁１０は、図のように、反射シート９が２枚重ね合わされて形成されている。さらに、この反射壁１０の側面１０ａは、反射面Ｈに対して垂直となるように形成されており、反射壁１０は光源３を導光板２の側面２ｂに対して露出させつつ隣接する光源３同士を個々に隔てている。
また、反射壁１０は、側面１０ａが反射面Ｈに対して垂直となるように、反射板７の両端部に取り付けられた端部保持部材８によって保持されている。端部保持部材８には、反射壁１０の長手方向端部１０ｃが挿し込まれることで反射壁１０を保持する溝８ａが形成されており、この溝８ａによって、反射壁１０は上述のように保持されている。このようにすることで、反射シート９を折り畳んでなる比較的厚みの薄い反射壁１０を確実に保持することができる。
【００２４】
また、反射壁１０において、反射面Ｈから反射壁１０の先端部１０ｂまでの高さ寸法Ｔ１は、反射面Ｈから光源３の導光板２側の頂部までの高さ寸法Ｔ２とほぼ一致する値、もしくは高さ寸法Ｔ２より大きい値に設定されている。ただし、高さ寸法Ｔ１が高さ寸法Ｔ２より大きい値に設定されている場合には、先端部１０ｂが、導光板２の側面２ｂに接触しない値に設定する必要がある。この先端部１０ｂが導光板２の側面２ｂと接触すると、先端部１０ｂと側面２ｂとの接触部に光源部Ｋからの光が入射されなくなり、発光面２ａから出射される光が不均一となる恐れがあるためである。
【００２５】
また、反射壁１０の先端部１０ｂの厚み寸法は、５００μｍ以下であることが好ましい。この厚み寸法が５００μｍより大きくなると、光源部Ｋから出射される光に反射壁１０の影が生じ、発光面２ａから出射される光が不均一となるためである。また、本実施形態のようにサイドライト型のバックライトの場合、この厚み寸法は、３００μｍ以下であることがより好ましい。サイドライト型のバックライトでは、直下型のバックライトと比較して、隣接する光源３の間隔がより狭くなるためである。
また、この先端部１０ｂの厚み寸法は、上記のように反射壁１０の影の発生を抑制するという点から、薄ければ薄いほど好ましいが、本実施形態のように、ポリエステル樹脂やポリカーボネート樹脂等からなる材料を反射シート９として用いた場合、１００μｍ以上であることが好ましい。この厚み寸法が１００μｍより小さいと、上記樹脂からなる反射シート９の剛性が低いものとなり、上記のように反射壁１０を垂直な状態に保持することが困難となるからである。
【００２６】
尚、反射シート９としては、高い反射率を有するとともに、紫外線や熱によって変形を生じたり、反射率が低下しない材料が好ましく、具体的には９５％以上の反射率を有するものが好ましい。反射シート９の反射率が低い場合、光源部Ｋから出射される光が減衰する恐れがあるからである。さらに、反射シート９の材質は、非導電体であることが好ましく、この場合、光源３からの漏れ電流を防止することができる。
【００２７】
反射シート９として用いることができる材料を具体的に挙げると、例えば、ポリエステル樹脂製のシート部材であれば、白色系拡散反射シートである東レ（株）製の商品名「Ｅ６０Ｖ」、「Ｅ６ＳＶ」や、帝人デュポンフィルム（株）製の商品名「ＵＸ２０１」を用いることができる。また、ポリカーボネート樹脂製のシート部材では、出光興産（株）製の商品名「ＵＲＣ２５０１」を用いることができる。
【００２８】
上記のように構成された反射板７によれば、光源３を導光板２の側面２ｂに対して露出させつつ隣接する光源３同士を個々に隔てる反射壁１０が、反射面Ｈに形成されているので、互いに隣接する一方の光源３から出射される光が他方の光源３に直接照射されるのを防止することができる。従って、この反射板７を用いたバックライト１によれば、隣接する光源３の光によって、光源３が早期に著しく劣化するのを抑制することができ、バックライト１の輝度の低下や発光色の変化が早期に生じる等、当該バックライト１としての性能が早期に低下するのを防止することができる。
【００２９】
反射壁１０は、隣接する一方の光源３の光が他方の光源３に直接照射されないように遮蔽されていればよく、上述したように、反射壁１０を光源３の長手方向に平行な板状とすることで、当該反射壁１０を容易に形成でき、過大なコストの増加を招くことなく、隣接する一方の光源３から他方の光源３に向けて出射される光を確実に遮蔽することができる。
また、反射壁１０において、上述のように、反射面Ｈから反射壁１０の先端部１０ｂまでの高さ寸法Ｔ１と、反射面Ｈから光源３までの高さ寸法Ｔ２とをほぼ一致する値に設定した場合、光源３から出射される光をより有効に導光板２へ出射することができる。また、高さ寸法Ｔ１を高さ寸法Ｔ２より大きい値に設定した場合には、隣接する光源３から出射される光をより確実に遮蔽することができる。
また、反射壁１０の光透過率は、できるだけ低い方が光源３の光を確実に遮蔽することができるので、その値は９０％以下であることが好ましい。
【００３０】
また、本実施形態では、反射壁１０は、その表面に拡散反射性を有する反射シート９を折り畳むことによって、その側面１０ａが反射面Ｈに対して垂直となるように形成されており、側面１０ａにおいても拡散反射性を有している。このため、光源３から出射された光が側面１０ａに照射された時にも、側面１０ａによる反射光は、拡散反射される。この結果、側面１０ａによる反射光が、光源３に直接的に照射されるのを防止できる。
【００３１】
また、本実施形態において、反射面Ｈを正面視した時、反射面Ｈの面積に対して、３本の光源３が反射面Ｈを隠蔽する面積の割合が５０％以上となるように、３本の光源３は近接配置されており、この場合、より効果的に光源３の早期劣化を抑制することができる。
その理由は、光源３が上記のように互いに近接配置されると、互いに隣接する一方の光源３から出射される光は、他方の光源３に向けて非常に強く出射され、反射壁１０が無いとこの強い光が光源３に照射されてしまい、光源３が著しく劣化してしまう。しかし、本実施形態では、その強い光を反射壁１０によって遮蔽できるからである。また、上記面積の割合が７０％以上である場合、更に効果的であり、８５％以上とした場合、特に効果的である。但し、前記面積の割合は１００％未満であることが好ましく、１００％に設定すると、反射壁１０を配置するスペースが無くなるためである。
【００３２】
光源３の表面は、光源３内部から光が外部に出射し易いように工夫されているため、隠蔽率が低い。このため従来、光源３に照射される光は光源３内部等に吸収されてしまっていた。一方、本実施形態では、隣接する一方の光源３から出射される光が他方の光源３に直接照射されるのを防止することができるので、光源３の劣化を抑制するのと同時に、従来、光源３に吸収されていた光を反射壁で反射させることで利用することができ、バックライト１の輝度向上が見込まれる。
【００３３】
図３は、反射板７において反射シート９によって形成される反射壁１０の形態のバリエーションを示したバックライト１の一部断面図である。
図３（ａ）に示したバックライト１では、反射シート９をＬ字形に折り曲げることで、底面部９ａ及び反射壁１０を形成しており、このように折り曲げられた反射シート９を２組用意し、反射板７の底面７ａに貼り付けられている。
尚、反射板７の底面中央部において、反射シート９で覆われることなく露出している露出面７ａ１は、光源３からの光を反射可能な程度の金属光沢面が得られるように、その表面が研磨されており、反射シート９の表面９ａ１とともに反射板７の反射面Ｈを構成している。
この図３（ａ）で示した反射壁１０は、反射シート９の１枚分の厚みで形成できるので、図１で示したように反射シート９を２枚重ね合わせて形成した場合と比較して、反射壁１０の先端部１０ｂの厚みをより薄くすることができ、反射壁１０の影が生じるのをより効果的に抑制できる。
【００３４】
図３（ｂ）に示したバックライト１では、反射壁１０を形成している反射シート９の折り畳たまれた部分を重ね合わせずに、隙間Ｓを設けることで、側面１０ａを導光板２の側面２ｂに向くように傾倒させた傾斜面とされている。また、この場合、側面１０ａは、拡散反射性を有する面であっても良いが、正反射性を有するように鏡面とされている。
このように、側面１０ａを導光板２の側面２ｂに向けて傾倒させることで、側面２ｂからの反射光が光源３に直接的に照射されるのを抑制しつつ、鏡面とされた側面２ｂによって正反射される反射光を、効果的に導光板２に向けて出射することができる。
【００３５】
図４は、本発明の第二の実施形態に係るバックライト１の断面図である。本実施形態と第一の実施形態との主な相違点は、発光面構成部材として発光面１１ａを有する拡散板１１を用い、この拡散板１１の背後に光源部Ｋを配置した直下型のバックライトを構成している点である。その他の点については、第一の実施形態と同様なので説明を省略する。
【００３６】
本実施形態のバックライト１の光源部Ｋは、上記のように拡散板１１の背後に配置されており、反射板７は、発光面１１ａの裏面である入光面１１ｂを覆うように形成されている。従って、反射板７の底面７ａは、第一の実施形態で示したサイドライト型のバックライトと比較して、より広く構成されており、反射板７に収容固定されている光源３は、より数多く配列されている。
【００３７】
このような、直下型のバックライトでは、第一の実施形態にて示したサイドライト型のバックライトと比較して、光源３を配置するためのスペースが広いので、隣接する光源３同士の間隔も比較的広く確保することができるが、光源３同士で光を照射し合うことによる光源３の劣化は生じる。また、バックライト１の輝度をより高めようとすると、さらに数多くの光源３を配列する方策を採ることが考えられる。このような場合、隣接する光源３同士の間隔は、狭められることになるが、本実施形態では、光源３を個々に隔てる反射壁１０が形成されているので、上述したように光源３の早期劣化を防止でき、当該バックライト１の性能が早期に低下するのを抑制することができる。
また、本実施形態の反射壁１０において、反射面Ｈから反射壁１０の先端部１０ｂまでの高さ寸法Ｔ１は、入光面１１ｂとの間に少なくとも１ｍｍ以上の間隔を有するように設定されていれば良く、このようにすることで、反射壁１０の影が生じるのを抑制し、発光面２ａから出射される光が不均一となるのを防止できる。
【００３８】
以上のように、本発明の照明装置用反射板及びこれを用いた照明装置は、サイドライト型のバックライトに限らず、直下型のバックライトにも適用することができる。すなわち、現行多用されているほとんどのバックライトに対して、本発明を適用することができる。
【００３９】
尚、本発明の照明装置用反射板及びこれを用いた照明装置は、上記に示した各実施形態に限定されるものではない。例えば、上記実施形態の反射壁は、反射板の底面に貼り付けられた反射シートを断面Ｌ字形に折り曲げ、あるいは２重に折り畳むことによって形成したが、反射シートを断面凹形に折り曲げることで反射壁を形成しても良く、上記実施形態に示した折り曲げ方に限定されることはない。また、底面に貼り付けられた反射シートとは別部材とされた板状部材を反射板の底面に取り付けて固定することで、反射壁を設けることもできるし、前記のような板状部材を反射板の底面に取り付け固定せず、長手方向両端部のみを固定することで反射板の底面に配置しても良い。
また、上記実施形態では、反射壁は光源の全長のほぼ全域に渡って延ばされた平板状としたが、光源の長手方向に一ヶ所あるいは複数ヶ所が寸断されていても良く、寸断された延べ長さが光源の全長に対して３０％以下であれば、光源の早期劣化を招くことがない。また、反射壁の一部に孔を設けることもできる。このように、反射壁を寸断、あるいはその一部に孔を設けることで、当該照明装置の放熱効率を向上させたり、当該照明装置を製造する上での自由度を高めることができる。
【００４０】
次に、本発明者が行った、本発明の照明装置に係る輝度の経時変化について実験的に測定、評価を行った検証試験について説明する。
本検証試験において、実施例品としては、上記第一の実施形態で示したように、隣接する光源３の間に反射壁１０を設けた光源部Ｋを用意した。図５は、本検証試験に用いた実施例品の光源部Ｋの構成を示した断面図である。図において、光源部Ｋの光源３としては、直径２．４ｍｍの冷陰極管ランプを３本用い、内壁面７ｂと光源３との間隔Ｗ１、及び隣接する光源３同士の間隔Ｗ２がそれぞれ０．７ｍｍ、反射面Ｈの幅寸法Ｗ３が１０ｍｍ、反射面Ｈと光源３との高さ寸法Ｔ２が３．５ｍｍとなるように配置した。尚、この場合、反射面Ｈを正面視した際に、反射面Ｈの面積に対して、光源３が反射面Ｈを隠蔽する面積の割合は、約７２％となる。
また、反射シート９には、東レ（株）製のポリエステル樹脂製の反射シート「Ｅ６０Ｖ」を用い、反射壁１０の高さ寸法Ｔ１が３．７ｍｍとなるように、この反射シート９を断面Ｌ字形に折り曲げることで反射壁１０を形成した。また、反射壁１０の先端部１０ｂを含む厚み寸法は、「Ｅ６０Ｖ」の厚み寸法である約２００μｍである。
比較例品としては、上記反射壁１０のみがない状態でその他の構成は全て実施例品と同一とした光源部Ｋを用意した。
【００４１】
これら実施例品、及び、比較例品の光源部Ｋに厚み寸法が約１０ｍｍのアクリル板Ａを組み合わせて、サイドライト型のバックライトを擬似的に構成し、光源部Ｋからアクリル板Ａの一方の側面Ａ１に光を出射し、他方の側面Ａ２から出射される光の輝度を測定できるようにした。
尚、このようにバックライトを擬似的に構成することにより、導光板等、他の劣化要因を排除して、光源３の輝度の経時変化をできるだけ正確に把握できるようにした。
そして、光源部Ｋを連続的に点灯させ、測定される輝度の経時変化について、実施例品、及び、比較例品で比較評価した。その結果を表１に示す。
【００４２】
【表１】
2006294507.tif 000003
【００４３】
上記表１中の輝度維持率とは、光源点灯時間が０時間である実験開始時における輝度の値を１００％とした時の輝度の値の割合を百分率で示したものである。
表１のように、点灯時間１００００時間において、実施例品では輝度維持率が７５％であったのに対して、比較例品では６０％と、実施例品の輝度維持率が高くなるという結果が得られた。このように、実施例品である本実施形態のバックライトでは、点灯時間の経過に対して輝度維持率が比較的高い状態で維持され、光源の経時的な輝度の低下を緩やかなものにできることが確認できた。
【００４４】
以上、検証試験の結果より、本発明によるバックライト（照明装置）及びこれに用いる反射板によれば、隣接する光源３同士の間に反射壁１０を設けることにより、光源３の経時的な輝度の劣化を緩やかのものにし、光源３が早期に著しく劣化するのを抑制できることが明らかとなった。そして、これによって、バックライトとしての性能が早期に低下するのを防止することができる。
【図面の簡単な説明】
【００４５】
【図１】本発明の第一の実施形態に係るバックライトの構造を模式的に示した断面図である。
【図２】導光板を外した状態の光源部を開口から正面視したときの正面図である。
【図３】反射シートによって形成される反射壁の形態のバリエーションを示したバックライトの一部断面図である。
【図４】本発明の第二の実施形態に係るバックライトの断面図である。
【図５】検証試験に用いた実施例品の光源部の構成を示した断面図である。
【符号の説明】
【００４６】
１      バックライト（照明装置）
２      導光板（発光面構成部材）
３      光源
７      照明装置用反射板
８      端部保持部材
１０    反射壁
１０ａ  側面
１０ｂ  先端部
Ｈ      反射面
【図１】
2006294507.tif 000004
【図２】
2006294507.tif 000005
【図３】
2006294507.tif 000006
【図４】
2006294507.tif 000007
【図５】
2006294507.tif 000008